(57)【特許請求の範囲】
【請求項１】
その発光色が相互に異なる複数の発光体と、この発光体を駆動する駆動手段と、前記発光体から光が照射されることにより画面を表示する表示パネルと、前記駆動手段及び前記表示パネルを制御する制御手段と、を有し、前記駆動手段が前記表示パネルに配置され、
前記制御手段が前記駆動手段に対して出力する信号の少なくとも一部をなし前記駆動手段が前記各発光体に供給する電流を表す電流データである第１の信号と前記制御手段が前記表示パネルに対して出力する信号の少なくとも一部をなし前記表示パネルに表示させる画像を表す画像データである第２の信号とを多重化した複合データを共通の信号線で伝送し、
前記制御手段が前記駆動手段に対して出力する信号のうち前記共通の信号線を伝送される信号から前記第１の信号を選択する選択信号である第３の信号と前記制御手段が前記表示パネルに設けられた駆動回路に対して出力して該駆動回路を制御する制御信号である第４の信号とを多重化して他の共通の信号線で伝送し、
前記駆動手段と前記発光体とがフレキシブルケーブルにより接続され、該駆動手段が該フレキシブルケーブルを介して発光体に電流を供給する、
ことを特徴とする表示装置。
【請求項２】
前記第１の信号と前記第２の信号とが、時間を分割して伝送されることを特徴とする請求項１に記載の表示装置。
【請求項３】
前記第１の信号と前記第２の信号とが共に１フレーム内に配置されることを特徴とする請求項２に記載の表示装置。
【請求項４】
前記発光体が発光ダイオードであることを特徴とする請求項１乃至３のいずれか１項に記載の表示装置。
【請求項５】
前記制御手段は、外部から入力される入力情報に基づいて前記第１の信号を生成することにより前記各発光体の発光強度を調整するものであることを特徴とする請求項１乃至４のいずれか１項に記載の表示装置。
【請求項６】
電力データを記憶する記憶手段を有し、前記制御手段は、前記入力情報に基づいて前記記憶手段から前記電力データを読み出して前記第１の信号を生成するものであることを特徴とする請求項５に記載の表示装置。
【請求項７】
前記制御手段は、前記発光強度を調整することにより前記表示パネルの白色表示の色味を調整するものであることを特徴とする請求項５又は６に記載の表示装置。
【請求項８】
前記入力情報は、前記白色表示の色温度であることを特徴とする請求項７に記載の表示装置。
【請求項９】
前記入力情報は、前記各発光体の発光強度であることを特徴とする請求項７に記載の表示装置。
【請求項１０】
前記入力情報は、前記表示装置が使用される地域を表す情報であることを特徴とする請求項７に記載の表示装置。
【請求項１１】
前記制御手段は、前記発光強度を調整することにより前記表示パネルの明るさを調整するものであることを特徴とする請求項５又は６に記載の表示装置。
【請求項１２】
前記駆動手段と前記表示パネルに設けられた駆動回路とが同一の集積回路により構成されていることを特徴とする請求項１乃至１１のいずれか１項に記載の表示装置。
【請求項１３】
前記表示パネルは液晶表示パネルであることを特徴とする請求項１乃至１２のいずれか１項に記載の表示装置。
【請求項１４】
前記共通の信号線及び前記他の共通の信号線が一本のフレキシブルケーブルに含まれることを特徴とする請求項１乃至１３のいずれか１項に記載の表示装置。
【請求項１５】
請求項１乃至１４のいずれか１項に記載の表示装置を有することを特徴とする携帯機器。
【請求項１６】
請求項１０に記載の表示装置と、ＧＰＳ装置と、を有し、前記ＧＰＳ装置により前記地域を表す情報を取得することを特徴とする携帯機器。
【請求項１７】
請求項１０に記載の表示装置を有し、国際ローミング情報から前記地域を表す情報を取得することを特徴とする携帯機器。
【発明の詳細な説明】
【技術分野】
【０００１】
本発明は、発光色が相互に異なる複数の発光体を備えたカラーの表示装置及びこれを備えた携帯機器に関する。
【背景技術】
【０００２】
従来より、文字及び画像を表示する表示装置が開発されており、広く電子機器に搭載されている。図１４は、従来の液晶表示装置を示すブロック図である。図１４に示すように、この液晶表示装置４０１においては、画像を表示するＬＣＤ（Liquid Crystal Display：液晶表示）パネル４０２が設けられており、このＬＣＤパネル４０２の後方には、ＬＣＤパネル４０２に光を供給するバックライト４０３が設けられている。ＬＣＤパネル４０２には、画像を表示する表示部４０４と、表示部４０４に配設された走査線を順次走査する走査線駆動回路４０５と、表示部４０４に配設されたデータ線にデータ信号を印加するＬＣＤ駆動回路４０６とが設けられている。また、バックライト４０３には、白色ＬＥＤ（Light Emitting Diode：発光ダイオード）４０７及び導光板（図示せず）が設けられている。白色ＬＥＤ４０７は、外部から電流信号が供給されて白色光を発光するものであり、導光板はこの白色光をＬＣＤパネル４０２に向けて面状に出射するものである。このように構成された液晶表示装置４０１は、バックライト４０３の発光体として白色ＬＥＤ４０７を備えているため、輝度の調整は可能であるが、白色表示の色味を調整することが困難である。
【０００３】
この課題を解決するために、例えば特許文献１及び２には、バックライトの発光体として、赤色（Ｒ）、緑色（Ｇ）及び青色（Ｂ）の各色のＬＥＤを備え、各ＬＥＤの発光強度を調整することにより、白色表示の色味を調整する技術が開発されている。
【０００４】
図１５は、特許文献１に記載された液晶表示装置のバックライトを示す回路図である。図１５に示すように、このバックライトにおいては、赤色ＬＥＤ２０１、緑色ＬＥＤ２０２、青色ＬＥＤ２０３が相互に並列に設けられており、夫々電源電位Ｖｃｃに接続されている。また、赤色ＬＥＤ２０１、緑色ＬＥＤ２０２、青色ＬＥＤ２０３と接地電位との間には、夫々駆動回路２０４、２０５、２０６が接続されている。駆動回路２０４乃至２０６は、夫々ＬＥＤ２０１乃至２０３に対して電流を供給するものである。駆動回路２０４は、トランジスタＴ１及び固定抵抗ＳＲ１が直列に接続されて構成されている。同様に、駆動回路２０５はトランジスタＴ２及び固定抵抗ＳＲ２により構成され、駆動回路２０６はトランジスタＴ３及び固定抵抗ＳＲ３により構成されている。
【０００５】
また、このバックライトには、駆動回路２０４乃至２０６が流す電流の大きさを夫々調整する調整回路２０７乃至２０９が設けられている。調整回路２０７は、可変抵抗ＶＲ１及び整流ダイオードＤ１がこの順に接続されており、可変抵抗ＶＲ１の抵抗値を調整することによって、トランジスタＴ１に流す電流を調整し、赤色ＬＥＤ２０１に流す電流を制御できるようになっている。同様に、調整回路２０８は可変抵抗ＶＲ２及び整流ダイオードＤ２によって構成されており、調整回路２０９は可変抵抗ＶＲ３及び整流ダイオードＤ３によって構成されており、可変抵抗ＶＲ２及びＶＲ３を調整することによって、夫々緑色ＬＥＤ２０２及び青色ＲＥＤ２０３の発光強度を制御できるようになっている。このバックライトにおいては、各色のＬＥＤ２０１乃至２０３に流す電流を調整することにより、白色表示時の色味を調整することができる。
【０００６】
しかしながら、図１５に示すバックライトにおいては、可変抵抗の調整によって一度白色を設定した後、違う色味の白色を表示させたい場合には、可変抵抗を再度調整しなければならない。また、元の色味に戻すときも、可変抵抗を改めて調整し直さなくてはならない。このため、白色表示の色味の調整を容易に行うことができないという問題点がある。
【０００７】
この課題を解決する技術として、特許文献１において、他のバックライトが開示されている。図１６は、この他のバックライトを示すブロック図である。図１６に示すように、このバックライトは、図１５に示すバックライトと比較して以下の点が異なっている。先ず、図１６に示すバックライトには、調整回路２０７乃至２０９（図１５参照）が設けられていない。また、駆動回路２０４には、トランジスタＴ１及び固定抵抗Ｒ１の他に、ＤＡＣ（Digital Analog Converter）２２１が設けられており、このＤＡＣ２２１のアナログ出力信号がバッファ２２４を介してトランジスタＴ１のゲートに入力されるようになっている。同様に、駆動回路２０５にはＤＡＣ２２２及びバッファ２２５が設けられており、駆動回路２０６にはＤＡＣ２２３及びバッファ２２６が設けられている。
【０００８】
また、ＤＡＣ２２１乃至２２３に夫々デジタル信号を入力するマイコンチップ２３０が設けられており、マイコンチップ２３０には記憶回路２３０Ｍが設けられている。更に、ＬＥＤ２０１乃至２０３から出力される光を夫々検出する光検出器ＰＤ１乃至ＰＤ３が設けられており、光検出器ＰＤ１乃至ＰＤ３の検出結果がマイコンチップ２３０に入力されるようになっている。このバックライトにおける上記以外の構成は、図１５に示すバックライトと同様である。
【０００９】
このバックライトにおいては、光検出器ＰＤ１乃至ＰＤ３がＬＥＤ２０１乃至２０３の発光強度を検出し、その検出結果に基づいてマイコンチップ２３０が記憶回路２３０Ｍに記憶された情報を参照してＬＥＤ２０１乃至２０３に流す電流を制御する。これにより、白色表示時の色味の調整を容易且つ正確に行うことができる。
【００１０】
図１７は、特許文献２に開示された携帯電話を示すブロック図である。図１７に示すように、この携帯電話３０１においては、画像を表示するＬＣＤ３０２と、このＬＣＤ３０２に光を供給するＬＣＤバックライト３０３が設けられている。ＬＣＤバックライト３０３には、ＲＧＢ各色のＬＥＤ（図示せず）が設けられている。また、携帯電話３０１には、ＬＣＤ３０２及びＬＣＤバックライト３０３を制御する制御部３０４が設けられている。
【００１１】
制御部３０４においては、ＣＰＵ（Central Processing Unit：中央処理装置）３０５が設けられており、このＣＰＵ３０５に接続されたＲＯＭ（Read-Only Memory：読取専用記億装置）３０６及びＲＡＭ（Random Access Memory：ランダムアクセスメモリ）３０７が設けられている。また、ＣＰＵ３０５からの制御信号に基づいてＬＣＤバックライト３０３を駆動するＲＧＢドライバＩＣ（Integrated Circuit：集積回路）３０８と、ＣＰＵ３０５に接続された周辺ＩＣ３０９が設けられている。更に、制御部３０４の外部には、周辺ＩＣ３０９に対して情報を入力するキーパッド３１０と、外部との接続に使用する外部Ｉ／Ｏ３１１が設けられている。
【００１２】
携帯電話３０１においては、ＬＣＤバックライト３０３のＲＧＢ各色のＬＥＤを駆動する電流設定値が、ＲＯＭ３０６に記憶されている。そして、ユーザがキーパッド３１０を操作することによりＲＯＭ３０６に記憶された電流設定値を選択すると、ＣＰＵ３０５がその電流設定値に基づいてＲＧＢドライバＩＣ３０８を制御し、ＬＣＤバックライト３０３の白色表示時の色味を調整するようになっている。これにより、携帯電話３０１のユーザは、ＬＣＤ３０２に好みの色味の白色を容易に表示させることができる。
【先行技術文献】
【特許文献】
【００１３】
【特許文献１】特開２００４−２９１４１号公報
【特許文献２】特開２００２−１００４８５号公報
【発明の概要】
【発明が解決しようとする課題】
【００１４】
しかしながら、上述の従来の技術には以下に示すような問題点がある。図１６に示すバックライトにおいては、駆動回路２０４乃至２０６のＤＡＣ２２１乃至２２３にデジタル信号を入力する信号線の本数が多くなってしまう。また、図１６には示されていないが、このバックライトを備えた液晶表示装置には、ＬＣＤ画像信号及びＬＣＤ制御信号を伝送する信号線も設けられている。このため、信号線の配設に必要な回路面積が大きくなり、液晶表示装置が大型化する。また、大型化を抑制しようとすると、狭ピッチ又は多層の回路基板が必要となり、装置のコストが増大する。
【００１５】
図１７に示す携帯電話においても同様な問題がある。図１７に示すように、ＣＰＵ３０５からＲＧＢドライバＩＣ３０８に対して、ＬＣＤバックライト３０３の電流設定値データが出力される。また、ＣＰＵ３０５から周辺ＩＣ３０９に対して、ＬＣＤ画像信号が出力される。電流設定値データ及びＬＣＤ画像信号は伝送に必要な信号線の数が多い。このため、信号線の配設に必要な回路面積が大きくなり、装置が大型化又は高コスト化してしまう。
【００１６】
本発明はかかる問題点に鑑みてなされたものであって、カラー表示を行うことができる表示装置において、信号線の数が少ない表示装置及びそれを備えた携帯機器を提供することを目的とする。
【課題を解決するための手段】
【００１７】
本発明に係る表示装置は、
その発光色が相互に異なる複数の発光体と、この発光体を駆動する駆動手段と、前記発光体から光が照射されることにより画面を表示する表示パネルと、前記駆動手段及び前記表示パネルを制御する制御手段と、を有し、前記駆動手段が前記表示パネルに配置され、
前記制御手段が前記駆動手段に対して出力する信号の少なくとも一部をなし前記駆動手段が前記各発光体に供給する電流を表す電流データである第１の信号と  前記制御手段が前記表示パネルに対して出力する信号の少なくとも一部をなし前記表示パネルに表示させる画像を表す画像データである第２の信号とを多重化した複合データを共通の信号線で伝送し、
前記制御手段が前記駆動手段に対して出力する信号のうち前記共通の信号線を伝送される信号から前記第１の信号を選択する選択信号である第３の信号と前記制御手段が前記表示パネルに設けられた駆動回路に対して出力して該駆動回路を制御する制御信号である第４の信号とを多重化して他の共通の信号線で伝送し、
前記駆動手段と前記発光体とがフレキシブルケーブルにより接続され、該駆動手段が該フレキシブルケーブルを介して発光体に電流を供給する、
ことを特徴とする。
【００１８】
尚、前記第１の信号と前記第２の信号とが、時間を分割して伝送されてもよい。
【００１９】
又、前記第１の信号と前記第２の信号とが共に１フレーム内に配置されてもよい。
【００２０】
又、前記発光体が発光ダイオードであってもよい。
【００２１】
又、前記制御手段は、外部から入力される入力情報に基づいて前記第１の信号を生成することにより前記各発光体の発光強度を調整するものであってもよい。
【００２２】
この場合、電力データを記憶する記憶手段を有し、前記制御手段は、前記入力情報に基づいて前記記憶手段から前記電力データを読み出して前記第１の信号を生成するものであってもよい。
又、前記制御手段は、前記発光強度を調整することにより前記表示パネルの白色表示の色味を調整するものであってもよい。或いは、前記入力情報は、前記白色表示の色温度であってもよい。
【００２３】
又、前記入力情報は、前記各発光体の発光強度であってもよい。
【００２４】
又、前記入力情報は、前記表示装置が使用される地域を表す情報であってもよい。
【００２５】
又、前記制御手段は、前記発光強度を調整することにより前記表示パネルの明るさを調整するものであってもよい。
【００２６】
又、前記駆動手段と前記表示パネルに設けられた駆動回路とが同一の集積回路により構成されてもよい。
【００２７】
又、前記表示パネルは液晶表示パネルであってもよい。
【００２８】
又、前記共通の信号線及び前記他の共通の信号線が一本のフレキシブルケーブルに含まれてもよい。
【００２９】
本発明の携帯機器は、本発明のいずれかの表示装置を有することを特徴する。
【００３０】
本発明の携帯機器は、入力情報が表示装置が使用される地域を表す情報である場合の表示装置と、ＧＰＳ装置と、を有し、前記ＧＰＳ装置により前記地域を表す情報を取得することを特徴とする。
【００３１】
本発明の携帯機器は、入力情報が表示装置が使用される地域を表す情報である場合の表示装置を有し、国際ローミング情報から前記地域を表す情報を取得することを特徴とする。
【発明の効果】
【００３２】
本発明によれば、カラー表示を行うことができる表示装置において、第１の信号と第２の信号とを共通の信号線を介して伝送すること、及び第３の信号と第４の信号とを共通の信号線を介して伝送することにより、信号線の数を低減することができる。
【図面の簡単な説明】
【００３３】
【図１】本発明の第１の実施形態に係る液晶表示装置を示すブロック図である。
【図２】図１に示す制御手段を示すブロック図である。
【図３】図１に示す制御手段が出力する複合データ信号の時間構造を示す図である。
【図４】図１に示すバックライト駆動手段を示すブロック図である。
【図５】図１に示すＬＣＤモジュールを示すブロック図である。
【図６】ユーザが好みの色味を設定する場合の動作を示すフローチャート図である。
【図７】色温度を選択することにより色味を設定する場合の設定画面を示す斜視図である。
【図８】各色の強度を調整することにより色味を設定する場合の設定画面を示す斜視図である。
【図９】明るさを設定する場合の設定画面を示す斜視図である。
【図１０】本発明の第３の実施形態に係る液晶表示装置を示すブロック図である。
【図１１】図１０に示すＬＣＤモジュールを示すブロック図である。
【図１２】図１０に示すＬＣＤモジュール及びフレキシブルケーブルを示す斜視図である。
【図１３】比較のためのＬＣＤモジュール及びフレキシブルケーブルを示す斜視図である。
【図１４】従来の液晶表示装置を示すブロック図である。
【図１５】特許文献１に記載された液晶表示装置のバックライトを示す回路図である。
【図１６】特許文献１に記載された他のバックライトを示すブロック図である。
【図１７】特許文献２に開示された携帯電話を示すブロック図である。
【発明を実施するための形態】
【００３４】
以下、本発明の実施形態について添付の図面を参照して具体的に説明する。先ず、本発明の第１の実施形態について説明する。図１は、本実施形態に係る液晶表示装置を示すブロック図であり、図２は、図１に示す制御手段を示すブロック図であり、図３は、図１に示す制御手段が出力する複合データ信号の時間構造を示す図であり、図４は、図１に示すバックライト駆動手段を示すブロック図であり、図５は、図１に示すＬＣＤモジュールを示すブロック図である。本実施形態に係る液晶表示装置は、携帯機器、例えば携帯電話７１（図７参照）に搭載されている。
【００３５】
図１に示すように、本実施形態に係る液晶表示装置は、大きく分けて、入力手段１、制御手段２、記憶手段３、バックライト駆動手段４、ＬＣＤモジュール７の５ブロックから構成されている。そして、ＬＣＤモジュール７は、バックライト５及びＬＣＤパネル６から構成されている。
【００３６】
入力手段１は、携帯機器に設けられたキー（図示せず）から入力情報１０を受け取り、この入力情報１０を制御手段２に対して出力する回路である。制御手段２は、入力手段１から入力される入力情報１０に基づき記憶手段３に記憶されたＬＥＤ電流データを読み出してバックライト駆動手段４を制御すると共に、入力情報１０及び映像信号１１に基づいてＬＣＤパネル６を制御するものである。記憶手段３は、例えばメモリを備え、バックライト５に設けられているＬＥＤの電流値を表すＬＥＤ電流データを記憶するものである。このＬＥＤ電流データは、制御手段２がＬＣＤパネル６の白色表示の色味を選択する際に参照されるものである。バックライト駆動手段４は、ＬＥＤ電流データに応じた電流をバックライト５に供給するものである。そして、図１に示すように、制御手段２からバックライト駆動手段４に対して出力される信号の一部と、制御手段２からＬＣＤパネル６に対して出力される信号の一部とが、同一の信号線８を介して伝送されるようになっている。信号線８は、例えば１８本の配線からなる複合線である。
【００３７】
以下、各ブロックの構成を詳細に説明する。図２に示すように、制御手段２においては、入力情報処理部２１、バックライト制御部２２、画像メモリ２８を備えたＬＣＤパネル制御部２３、及びコントローラ２４が設けられている。入力情報処理部２１は、入力手段１から入力情報１０が入力されるようになっており、この入力情報１０を処理して、バックライト制御部２２及びＬＣＤパネル制御部２３に振り分ける回路である。バックライト制御部２２は、入力情報処理部２１から入力される入力情報１０に基づいて、記憶手段３に記憶されたテーブルの中からＬＥＤ電流データ２５を選択し、これをコントローラ２４に対して出力すると共に、バックライト駆動手段４に対して後述するＲＧＢ３種類のＤＡＣの選択信号２９を出力するものである。
【００３８】
ＬＣＤパネル制御部２３は、入力情報処理部２１によって振り分けられた入力情報１０が入力されると共に、液晶表示装置の外部から映像信号１１が入力されるようになっている。そして、ＬＣＤパネル制御部２３は、この映像信号１１又は画像メモリ２８に記憶された情報からＲＧＢ各６ｂｉｔの画像データ２６を生成し、コントローラ２４に対して出力すると共に、制御信号３０をＬＣＤパネル６に出力するものである。この制御信号３０には、ＬＣＤパネル６に設けられたＬＣＤ駆動回路（後述）の各種設定を行うためのシリアルＩ／Ｆ（Interface：インターフェース）信号、水平期間毎に出力される水平同期信号、垂直走査期間毎に出力される垂直同期信号、後述する複合データ信号２７に同期したクロック信号が含まれている。
【００３９】
コントローラ２４は、バックライト制御部２２からＲＧＢ各色６ｂｉｔのＬＥＤ電流データ２５が入力され、ＬＣＤパネル制御部２３からＲＧＢ各色６ｂｉｔの画像データ２６が入力され、このＬＥＤ電流データ２５及び画像データ２６に基づいて複合データ信号２７を生成し、これをバックライト駆動手段４及びＬＣＤパネル６（図１参照）の双方に対して出力するものである。
【００４０】
複合データ信号２７は、ＲＧＢ各色６ｂｉｔのデジタル信号である。図３に示すように、複合データ信号２７においては、１フレーム周期、即ち、１画面分の画像を書き換える周期中に、ＬＥＤ電流データ２５及び画像データ２６が時分割で含まれている。即ち、複合データ信号２７において、ＬＥＤ電流データ２５は、あるフレーム一画面分の画像データ２６の出力が完了した後から、次のフレームにおける画像データ２６の出力が開始される前までの時間帯に挿入されている。これにより、表示に影響を与えることなく、画像データ２６及びＬＥＤ電流データ２５をバックライト駆動手段４及びＬＣＤパネル６（図１参照）の双方に対して出力することができる。なお、本実施形態においては、ＬＥＤ電流データ２５がフレーム毎に出力されるようになっているが、データ変更時にのみ出力してもよい。
【００４１】
また、複合データ信号２７に含まれる画像データ２６は、各色６ｂｉｔ、合計１８ビットの信号である。そして、この信号を、信号線８を構成する１８本の配線を使用して並列に伝送する。即ち、１本の配線に１ビットの信号を乗せて、１８ビットの信号を同時に伝送する。一方、複合データ信号２７に含まれるＬＥＤ電流データ２５も、各色６ｂｉｔ、合計１８ビットの信号である。但し、ＬＥＤ電流データ２５については、信号線８を構成する１８本の配線のうち６本の配線を使用して伝送する。即ち、３色分のデータを１色分ずつ時分割して伝送する。
【００４２】
図４に示すように、バックライト駆動手段４においては、スイッチ部４１が設けられており、スイッチ部４１には、ＲＧＢ各色に対応したスイッチ４１Ｒ、４１Ｇ、４１Ｂが設けられている。スイッチ４１Ｒ、４１Ｇ、４１Ｂの各一端部には、制御手段２のコントローラ２４から出力された複合データ信号２７が入力されるようになっており、各スイッチのオン／オフの切替は、制御手段２のバックライト制御部２２から出力された選択信号２９によって制御されるようになっている。また、スイッチ４１Ｒの他端部には、ＤＡＣ４２Ｒの入力端子が接続されており、ＤＡＣ４２Ｒの出力端子には駆動回路４３Ｒが接続されている。同様に、スイッチ４１Ｇの他端部側にはＤＡＣ４２Ｇ及び駆動回路４３Ｇがこの順に接続されており、スイッチ４１Ｂの他端部側にはＤＡＣ４２Ｂ及び駆動回路４３Ｂがこの順に接続されている。
【００４３】
スイッチ部４１は、複合データ信号２７に含まれるＬＥＤ電流データ２５の各色のデータを、ＤＡＣ４２Ｒ、４２Ｇ、４２Ｂに振り分けるものである。例えば、スイッチ４１Ｒは、複合データ信号２７から、ＬＥＤ電流データ２５の赤色データのみを取り出して、ＤＡＣ４２Ｒに対して出力するものである。ＤＡＣ４２Ｒは、スイッチ４１Ｒから入力されたデジタルの電圧信号をアナログの電圧信号に変換するものである。駆動回路４３Ｒは、ＤＡＣ４２Ｒから入力されたアナログの電圧信号を電流信号に変換して、バックライト５の赤色ＬＥＤ５１Ｒ（図５参照）に供給するものである。スイッチ４１Ｇ、ＤＡＣ４２Ｇ及び駆動回路４３Ｇ、並びにスイッチ４１Ｂ、ＤＡＣ４２Ｂ及び駆動回路４３Ｂの機能も同様であり、夫々、緑色データ及び青色データを扱うものである。ＬＥＤ電流データ２５は、ＲＧＢ夫々６ｂｉｔのデータを含んでいるため、ＤＡＣは夫々６４階調の電流を出力することができる。従って、ＲＧＢ全体では約２６万通りの電流設定を行うことができる。なお、ここまで細かく電流設定する必要がない場合は、ＬＥＤ電流データ２５のｂｉｔ数を減らしてもよい。
【００４４】
図５に示すように、ＬＣＤモジュール７のバックライト５においては、ＲＧＢ各色の光を発光する３種類のＬＥＤ５１Ｒ、５１Ｇ、５１Ｂ（以下、総称してＬＥＤ５１ともいう）と、ＬＥＤ５１から入射された光を合成して、ＬＣＤパネル６に対して面状に出力する導光板（図示せず）とが設けられている。
【００４５】
ＬＣＤモジュール７のＬＣＤパネル６においては、画面の水平方向に延びる複数の走査線（図示せず）が配設され、画面の垂直方向に延びる複数のデータ線（図示せず）が配設され、走査線とデータ線との最近接点毎に設けられた複数の画素からなる表示部６１が設けられている。表示部６１にはカラーフィルタ（図示せず）が設けられている。また、走査線を順次選択して垂直走査を行う走査線駆動回路６２と、走査線駆動回路６２及びデータ線に接続されたＬＣＤ駆動回路６３とが設けられている。ＬＣＤ駆動回路６３には、制御信号３０及び複合データ信号２７中の画像データ２６が入力されるようになっており、走査線駆動回路６２を制御する制御信号を生成すると共に、データ線を介して表示部６１の各画素に画像データ２６を書き込むものである。画像データ２６は各色６ｂｉｔの信号であるため、表示部６１は２６万色のカラー表示を行うことができる。
【００４６】
次に、上述の如く構成された本実施形態に係る液晶表示装置の動作について、図１乃至図５を参照して説明する。先ず、携帯電話の電源投入時の動作について説明する。携帯電話の電源が入ると、図２に示す制御手段２のＬＣＤパネル制御部２３は、ＬＣＤパネル６のＬＣＤ駆動回路６３に対して制御信号３０を出力する。即ち、シリアルＩ／Ｆ信号を出力してＬＣＤ駆動回路６３を起動するための各種設定を行うと共に、その他の制御信号（水平同期信号、垂直同期信号、データクロック信号）を出力する。ＬＣＤ駆動回路６３は、シリアルＩ／Ｆ信号に基づいて、走査線駆動回路６２に対する制御信号を生成し、走査線駆動回路６２を動作状態にする。以上の動作によって、ＬＣＤパネル６は複合データ信号２７待ちの状態になる。また、ＬＣＤパネル制御部２３は、画像メモリ２８に記憶されている起動時の画像データを読み出し、画像データ２６としてコントローラ２４に対して出力する。
【００４７】
一方、記憶手段３には、予め表１に示すようなテーブルが記憶されている。表１に示すように、このテーブルには、色味毎にＲＧＢ夫々のＬＥＤ電流値を示す６ｂｉｔデータが記憶されている。例えば、色温度が６５００Ｋの色味における赤色ＬＥＤ５１Ｒに流す電流値は、６ｂｉｔのデータＲ３として記憶手段３に記憶されている。バックライト制御部２２は、予め決定されている色味に対応するＬＥＤ電流データ２５、例えば表１に示すテーブルのうち色温度が６５００ＫのＬＥＤ電流データ２５を記憶手段３から読み出し、コントローラ２４に対して出力する。
【００４８】
【表１】
0005246321.tif 000002
【００４９】
コントローラ２４は、ＬＣＤ制御部２３から送られてくる起動時の画像を表す画像データ２６と、バックライト制御部２３から送られてくるＬＥＤ電流データ２５とを合成して複合データ信号２７（図３参照）を生成する。そして、信号線８を介して、バックライト駆動手段４のスイッチ部４１及びＬＣＤパネル６のＬＣＤ駆動回路６３の双方に対して出力する。このとき、複合データ信号２７に含まれる画像データ２６は信号線８を構成する１８本の配線を使用して並列に伝送する。また、ＬＥＤ電流データ２５は、信号線８を構成する１８本の配線のうち６本の配線を使用して、３色分のデータを時分割して伝送する。
【００５０】
そして、ＬＣＤ駆動回路６３は、複合データ信号２７に含まれる画像データ２６を取り込む。そして、走査線駆動回路６２が表示部６１の走査線を順次選択するタイミングに同期して、ＬＣＤ駆動回路６３がデータ線に画像データ２６を書き込む。これにより、表示部６１に、画像データ２６が表す画像、即ち、起動時の画像を表示する。
【００５１】
一方、制御手段２のバックライト制御部２２が、選択信号２９をバックライト駆動手段４のスイッチ部４１に対して出力して、スイッチ４１Ｒ、４１Ｇ、４１Ｂを順次導通させる。これにより、複合データ信号２７から、表１に示すＬＥＤ電流データ２５の赤色データＲ３を取り出してＤＡＣ４２Ｒに供給し、緑色データＧ３をＤＡＣ４２Ｇに供給し、青色データＢ３をＤＡＣ４２Ｂに供給する。赤色データＲ３、緑色データＧ３及び青色データＢ３は、夫々６ｂｉｔのデジタル電圧信号である。そして、ＤＡＣ４２Ｒが赤色データＲ３をアナログ電圧信号に変換し、それを駆動回路４３Ｒがアナログ電流信号に変換して、バックライト５のＬＥＤ５１Ｒに供給する。同様に、ＤＡＣ４２Ｇが緑色データＧ３をアナログ電圧信号に変換し、それを駆動回路４３Ｇがアナログ電流信号に変換してＬＥＤ５１Ｇに供給する。また、ＤＡＣ４２Ｂが青色データＢ３をアナログ電圧信号に変換し、それを駆動回路４３Ｂがアナログ電流信号に変換してＬＥＤ５１Ｂに供給する。これにより、変換後の電流信号を受けて、バックライト５のＬＥＤ５１が電流信号に応じた輝度で発光する。この光が導光板によって合成され面状に出射されて、ＬＣＤパネル６に対して照射される。この結果、ＬＣＤモジュール７は、白色表示を予め決まった色味に設定して、画像を表示する。
【００５２】
次に、ユーザが好みの色味を設定する場合の動作について説明する。図６は、ユーザが好みの色味を設定する場合の動作を示すフローチャート図であり、図７は、色温度を選択することにより色味を設定する場合の設定画面を示す斜視図であり、図８は、各色の強度を調整することにより色味を設定する場合の設定画面を示す斜視図であり、図９は、明るさを設定する場合の設定画面を示す斜視図である。
【００５３】
先ず、図６のステップＳ１に示すように、ユーザがキー入力によって色味設定を選択する。これにより、ステップＳ２に示すように、制御手段２のＬＣＤ制御手段２３が、画像メモリ２８に記憶されている画像データの中から図７に示す設定画面を表す画像データ２６を選択し、これをコントローラ２４に対して出力する。コントローラ２４は、複合データ信号２７のうち、画像データ２６の部分だけを差し替えて、新たな複合データ信号２７としてＬＣＤパネル６に対して出力する。この結果、携帯電話７１の表示パネル６は、図７に示す設定画面を表示する。このとき、設定画面の背景色は白色になっている。
【００５４】
次に、図６のステップＳ３に示すように、ユーザは図７に示す設定画面を見ながら、好みの色味になるように上下のキーを操作して、色温度を選択する。例えば、ユーザは色温度を６５００Ｋから１段階上げて７０００Ｋとする。キー入力により入力された入力情報１０は、入力手段１を介して制御手段２に入力される。制御手段２の入力情報処理部２１は、この入力情報１０を受け取り、バックライト制御部２２及びＬＣＤパネル制御部２３に指令を送る。
【００５５】
この指令に基づいて、バックライト制御部２２は、記憶手段３に記憶されているテーブル（表１参照）から、選択された色温度（例えば７０００Ｋ）に相当するＬＥＤ電流データ２５を読み出し、コントローラ２４に対して出力する。一方、ＬＣＤ制御部２３は、ユーザによって選択された色温度（例えば７０００Ｋ）を示す画像の画像データを画像メモリ２８から読出し、画像データ２６としてコントローラ２４に対して出力する。この画像は、例えば図７に示す設定画面において、「６５００Ｋ」の表示が「７０００Ｋ」に変更されたものである。
【００５６】
コントローラ２４は、画像データ２６及びＬＥＤ電流データ２５を夫々変更し、図５に示すような複合データ信号２７を生成してバックライト駆動手段４及びＬＣＤパネル６に対して出力する。この結果、表示パネル６に表示されている設定画面の背景色（白色）の色味が、選択された色温度の色味に変更される。
【００５７】
次に、ステップＳ４に進む。そして、選択された色味がユーザの好みの色味でない場合は、ステップＳ３に戻り、色味がユーザの好みの色味になるまで、ステップＳ３及びＳ４を繰り返す。設定画面の背景色の色味がユーザの好みの色味になると、ステップＳ５に進み、携帯電話の起動時にバックライト制御部２２が記憶手段３から読み込むＬＥＤ電流データ２５を、出荷段階において設定されたデータから、ユーザによって設定されたデータに変更する。これにより、ステップＳ６に示すように、色味のユーザ設定が完了する。
【００５８】
このような処理を行うことにより、以後、携帯電話の電源が入る度に、バックライト制御部２２は記憶手段３からユーザが選択した色味に対応するＬＥＤ電流データ２５を読み出し、ＬＣＤモジュール７は常にユーザが選択した色味で白色表示を行う。
【００５９】
以上の説明は、ユーザが色温度を選択することにより白色表示の色味を設定する場合の動作についてのものであるが、本実施形態に係る液晶表示装置においては、ユーザがＲＧＢ各色の強度を夫々調整することにより、白色表示の色味を設定することもできる。以下、この場合の動作について説明する。
【００６０】
ユーザが色味設定を選択することにより、ＬＣＤ制御手段２３が、画像メモリ２８に記憶された画像データの中から図８に示す設定画面を表す画像データ２６を選択し、これをコントローラ２４に対して出力する。これにより、携帯電話７１のＬＣＤパネル６は、図８に示す設定画面を表示する。そして、ユーザはこの設定画面を見ながら、ＲＧＢ各色の強度を個別に調整する。例えば、Ｒ（赤）を強めたければ、Ｒのバーを「強」の方へ移動させる。この情報に基づいて、制御回路２の入力情報処理部２１はバックライト制御部２２に対して指令を出す。バックライト制御部２２は、この指令に基づいて、記憶手段３から新たなＬＥＤ電流データ２５を読出し、コントローラ２４に対して出力する。以後の動作は、前述の色温度を選択するときの動作と同じである。このようにして、白色表示の色味を設定することができる。
【００６１】
また、本実施形態に係る液晶表示装置においては、表示の明るさを変更することもできる。以下、この動作について説明する。ユーザが明るさ設定を選択することにより、ＬＣＤパネル制御部２３が、画像メモリ２８に記憶された画像データの中から図９に示す設定画面を表す画像データ２６を読み出し、これを出力する。これにより、携帯電話７１のＬＣＤパネル６が図９に示す設定画面を表示する。そして、ユーザは、図９に示す設定画面を見ながら、キー入力によって明るさを調整する。明るさを変更する場合、バックライト制御部２２は、既に設定されているＬＥＤ電流データ２５に、あるゲイン（係数）を掛けて出力する。これにより、ＬＥＤ５１Ｒ、５１Ｇ、５１Ｂに流す電流値の比を変えずに、電流値を一律に増減することができる。ＬＥＤの輝度は電流に比例して増加するため、このような動作によって、表示の色味を変えずに明るさを変えることができる。なお、ＬＥＤの輝度が電流値に対して非線形となる場合は、予め記憶手段３に非線形の特性に応じたゲインを記憶しておき、バックライト制御部２２が明るさの設定に応じてゲインを選択してもよい。
【００６２】
明るさを調整する場合も、画面の背景色は白色となっていて、キー入力に応じて背景の白色表示の明るさが変更される。明るさ調整が終了すると、バックライト制御部２２には新たなＬＥＤ電流データ２５が設定される。この結果、その後、液晶表示装置に電源が入る度に、バックライト制御部２２からは新しいＬＥＤ電流データ２５が出力されて、ＬＣＤモジュール７は常にユーザが選択した明るさで表示を行うようになる。
【００６３】
次に、本実施形態の効果について説明する。本実施形態においては、記憶手段３に複数の色味に対応するＬＥＤ電流データが記憶されているため、白色表示の色味を変更したいときには、この記憶手段３に記憶されたＬＥＤ電流データを読み出すことにより、白色表示の色味を容易に変更することができる。
【００６４】
また、本実施形態においては、制御手段２のコントローラ２４がＬＥＤ電流データ２５及び画像データ２６を合成して複合データ信号２７を生成し、これを、信号線８を介してバックライト駆動手段４及びＬＣＤパネル６の双方に対して伝送している。これにより、ＬＥＤ電流データ２５及び画像データ２６を伝送するための信号線の数を減らすことができ、この信号線を配設するための回路面積を低減することができる。これにより、高価な狭ピッチ基板又は多層配線基板を使用することなく、液晶表示装置の小型化及び軽量化を図ることができる。この結果、この液晶表示装置を搭載する携帯電話の小型化、軽量化及び低コスト化を図ることができる。
【００６５】
更に、本実施形態によれば、白色表示の色味の設定を、色温度の選択及び各色強度の調整の双方によって行うことができる。このため、ユーザが操作しやすい方法を選択して、色味を設定することができる。更にまた、表示の明るさを調整するための特別な手段を設けることなく、表示の明るさを容易に調整することができる。
【００６６】
なお、本実施形態においては、複合データ信号２７に含まれるＬＥＤ電流データ２５を、信号線８を構成する１８本の配線のうち６本の配線を使用して時分割で伝送する例を示したが、本発明はこれに限定されない。例えば、信号線８を構成する１８本の配線を全て使用してＬＥＤ電流データ２５を伝送してもよい。この場合は、前記１８本の配線を６本ずつ分岐して、図４に示すバックライト駆動手段４のＤＡＣ４２Ｒ、４２Ｇ及び４２Ｂに夫々接続する。これにより、ＬＥＤ電流データ２５における各色のデータが、ＤＡＣ４２Ｒ、４２Ｇ及び４２Ｂに夫々直接入力されるようになる。この結果、スイッチ部４１及び選択信号２９を省略することができる。
【００６７】
次に、本発明の第２の実施形態について説明する。本実施形態は、前述の第１の実施形態と比較して、記憶手段３（図１参照）に記憶されているテーブルが異なっている。表２に、本実施形態に係る液晶表示装置において、記憶手段３に記憶されているテーブルを示す。表２に示すように、このテーブルにおいては、携帯電話が使用される地域に対応して色温度が設定されており、各色温度に対応するＬＥＤ電流データが記憶されている。本実施形態における上記以外の構成は、前述の第１の実施形態と同様である。
【００６８】
【表２】
0005246321.tif 000003
【００６９】
次に、本実施形態の動作及び効果について説明する。実際の市場においては、地域によって好みの色味が異なる場合がある。そこで、本実施形態に係る液晶表示装置については、製品出荷前の各種データの設定を行う工程において、出荷される地域を示す情報、例えば、表２に示す「地域（３）」を、液晶表示装置に入力する。この地域を示す情報は、図１に示す入力手段１を介して制御部２の入力情報処理部２１に入力される。入力情報処理部２１は、この情報に基づいてバックライト制御部２２に指令を送り、バックライト制御部２２はこの指令に基づいて、記憶手段３から「地域（３）」に対応するデータ、即ち、色温度が６５００Ｋの色味に相当するＬＥＤ電流データ２５を読み出す。以後の動作は、前述の第１の実施形態と同様である。
【００７０】
これにより、地域に応じて設定されたＬＥＤ電流データ２５が初期設定データとなり、以後、携帯電話の電源が投入される度に、この色味で白色表示が行われる。この状態は、次に色味の設定がなされるまで、例えばユーザ設定が行われるまで継続される。これにより、製品出荷時に白色表示の色味を地域に対応した色味に設定することができ、地域によって異なるユーザの好みに対応することができる。また、出荷後にユーザ設定により色味を変更する場合は、前述の第１の実施形態と同様な方法で行うことができる。本実施形態における上記以外の動作及び効果は、前述の第１の実施形態と同様である。
【００７１】
なお、製品出荷後に地域に応じた色味設定を行ってもよい。例えば、国際ローミングとの連携によって携帯機器が使用されている地域を特定し、この地域に対応した色味に設定してもよい。また、ＧＰＳ（Global Positioning System：全地球測位システム）を搭載する携帯電話の場合は、このＧＰＳ装置によって得られる位置情報に基づいて、色味を設定してもよい。
【００７２】
次に、本発明の第３の実施形態について説明する。図１０は、本実施形態に係る液晶表示装置を示すブロック図であり、図１１は、図１０に示すＬＣＤモジュールを示すブロック図であり、図１２は、図１０に示すＬＣＤモジュール及びフレキシブルケーブルを示す斜視図であり、図１３は、比較のためのＬＣＤモジュール及びフレキシブルケーブルを示す斜視図である。なお、図１０においては、図を簡略化するために、表示部６１（図５参照）及び走査線駆動回路６２（図５参照）は図示を省略されている。
【００７３】
図１０及び図１１に示すように、本実施形態に係る液晶表示装置においては、バックライト駆動手段４がＬＣＤパネル６の内部に設けられている。また、制御手段２からバックライト駆動手段４に対して出力される選択信号２９がシリアルＩ／Ｆ信号となっており、制御手段２からＬＣＤパネル６に対して出力される制御信号３０のシリアルＩ／Ｆ信号と共通のフレキシブルケーブル１３（図１２参照）を介して伝送されるようになっている。
【００７４】
図１２に示すように、本実施形態に係る液晶表示装置においては、フレキシブルケーブル１３及びコネクタ１４が設けられている。フレキシブルケーブル１３の一端はＬＣＤパネル６に接続されており、他端にはコネクタ１４が接続されている。コネクタ１４には、図２に示す制御手段２のバックライト制御部２２及びＬＣＤパネル制御部２３が接続されている。そして、バックライト制御部２２は選択信号２９をコネクタ１４及びフレキシブルケーブル１３を介してＬＣＤパネル６内に配置されたバックライト駆動手段４に対して伝送し、ＬＣＤパネル制御部２３は制御信号３０をコネクタ１４及びフレキシブルケーブル１３を介してＬＣＤパネル６のＬＣＤ駆動回路６３に対して伝送するようになっている。また、制御手段２はＬＣＤパネル６に対して選択信号３１を出力するようになっている。選択信号３１は、フレキシブルケーブル１３を介して伝送されるシリアルＩ／Ｆ信号が、バックライト駆動手段４及びＬＣＤパネル６のどちらに対して出力された信号であるかを示すものである。
【００７５】
また、ＬＣＤパネル６とバックライト５との間には、フレキシブルケーブル１５が接続されている。そして、このフレキシブルケーブル１５を介して、ＬＣＤパネル６内に配置されたバックライト駆動手段４が、バックライト５のＬＥＤ５１に対して電流を供給するようになっている。このフレキシブルケーブル１５にはコネクタが接続されていない。従って、本実施形態において設けられているコネクタは１個のみ（コネクタ１４）である。本実施形態における上記以外の構成は、前述の第１の実施形態と同様である。
【００７６】
これに対して、図１３に示す液晶表示装置においては、フレキシブルケーブル１１３が設けられており、その一端はＬＣＤパネル６に接続されており、他端にはコネクタ１１４が接続されている。コネクタ１１４はＬＣＤパネル制御部に接続されている。また、フレキシブルケーブル１１５が設けられており、その一端はバックライト５のＬＥＤに接続されており、他端にはコネクタ１１６が接続されている。コネクタ１１６はバックライト制御部に接続されている。
【００７７】
このように、図１３に示す液晶表示装置においては、ＬＣＤパネル制御部とＬＣＤパネル６とがコネクタ１１４及びフレキシブルケーブル１１３によって接続されており、バックライト制御部とバックライト５とがコネクタ１１６及びフレキシブルケーブル１１５によって接続されている。即ち、コネクタが２個設けられている。
【００７８】
上述の如く、図１２に示す本実施形態の液晶表示装置においては、図１３に示す液晶表示装置と比較して、バックライト駆動手段４とＬＥＤ５１との間を接続するコネクタ１１６を省略することができる。これにより、液晶表示装置及びそれを搭載した携帯機器の小型化、軽量化及び低コスト化を図ることができる。
【００７９】
また、本実施形態においては、バックライト制御部２２からバックライト駆動手段４に対して伝送する選択信号２９は、ＬＣＤ制御部２３からＬＣＤ駆動回路６３に対して伝送する制御信号３０と共通化されている。従って、本実施形態において、バックライト制御部２２とバックライト駆動手段４との間に追加される信号は、フレキシブルケーブル１３を伝送するＩ／Ｆシリアル信号が、バックライト駆動手段４及びＬＣＤパネル６のどちらに対して出力されたものであるかを表す選択信号３１だけである。このため、従来の液晶表示装置において、ＬＣＤパネル制御部とＬＣＤパネルとの間を接続する信号線の数とほとんど変わらない。本実施形態における上記以外の動作及び効果は、前述の第１の実施形態と同様である。
【００８０】
なお、本実施形態において、駆動手段４とＬＣＤ駆動回路６３とは、同一のＩＣにより構成されていてもよい。これにより、液晶表示装置のより一層の小型化及び低コスト化を図ることができる。
【００８１】
また、図１２に示す接続方法は、前述の第１及び第２の実施形態にも適用可能である。この場合にも、従来設けられていたバックライト駆動手段４とＬＥＤ５１との間を接続するコネクタを省略することができる。但し、この場合は、フレキシブルケーブル１３の他に、バックライト駆動手段４とＬＥＤ５１との間に３本の信号線を追加することになるため、全体の接続本数は第３の実施形態よりも多くなる。
【００８２】
更に、上述の第１乃至第３の実施形態においては、画像データ２６とＬＥＤ電流データ２５とを共通化して複合データ信号２７を生成する例について説明したが、ＬＥＤ電流データ２５をシリアルＩ／Ｆ信号とし、シリアルＩ／Ｆ信号である制御信号３０と共通化してもよい。また、これ以外の方法により、信号を共通化してもよい。
【００８３】
更にまた、上述の第１乃至第３の実施形態においては、３色のＬＥＤ５１を同時に点灯させるタイプのＬＣＤモジュールについて説明した。しかし、本発明はこれに限定されず、３色のＬＥＤ５１を順番に点灯させてもよい。このタイプのＬＣＤモジュールは、フィールドシーケンシャル駆動ＬＣＤモジュールと呼ばれ、３色のＬＥＤ５１の点灯タイミングに同期させて、表示部６１にＲＧＢの画像を順次表示させ、ユーザにＲＧＢ夫々の画像を合成したカラー画像を認識させるものである。
【００８４】
更にまた、上述の第１乃至第３の実施形態においては、携帯機器として携帯電話を例示したが、本発明の携帯機器は携帯電話には限定されず、例えば、ＰＤＡ（Personal Digital Assistance：個人用情報端末）及びノート型パーソナルコンピュータ等であってもよい。
【００８５】
上記の実施形態の一部又は全部は、以下の付記のようにも記載されうるが、以下には限られない。
［付記１］
その発光色が相互に異なる複数の発光体と、この発光体を駆動する駆動手段と、前記発光体から光が照射されることにより画像を表示する表示パネルと、前記駆動手段及び前記表示パネルを制御する制御手段と、を有し、前記制御手段が前記駆動手段に対して出力する信号の少なくとも一部をなす第１の信号と、前記制御手段が前記表示パネルに対して出力する信号の少なくとも一部をなす第２の信号とが、共通の信号線により伝送されることを特徴とする表示装置。
［付記２］
前記第１の信号と前記第２の信号とが、時間を分割して伝送されることを特徴とする付記１に記載の表示装置。
［付記３］
前記第１の信号と前記第２の信号とが共に１フレーム内に配置されることを特徴とする付記２に記載の表示装置。
［付記４］
前記第１の信号は前記駆動手段が前記各発光体に供給する電力の大きさを表す電力データであり、前記第２の信号は前記表示パネルに表示させる画像を表す画像データであることを特徴とする付記１乃至３のいずれか１つに記載の表示装置。
［付記５］
前記発光体が発光ダイオードであり、前記駆動手段が前記発光ダイオードに電流を供給するものであり、前記電力データが前記電流の大きさを表すものであることを特徴とする付記４に記載の表示装置。
［付記６］
前記駆動手段が前記表示パネルの内部に配置されており、前記制御手段が前記駆動手段に対して出力する信号のうち前記第１の信号を除く信号の少なくとも一部をなす第３の信号と、前記制御手段が前記表示パネルに対して出力する信号のうち前記第２の信号を除く信号の少なくとも一部をなす第４の信号とが、他の共通の信号線により伝送されることを特徴とする付記４又は５に記載の表示装置。
［付記７］
前記第３の信号は前記共通の信号線を介して伝送される信号から前記第１の信号を選択する選択信号であり、前記第４の信号は前記表示パネルに設けられた駆動回路を制御する制御信号であることを特徴とする付記６に記載の表示装置。
［付記８］
前記他の共通の信号線がフレキシブルケーブルであることを特徴とする付記６又は７に記載の表示装置。
［付記９］
前記制御手段は、外部から入力される入力情報に基づいて前記第１の信号を生成することにより前記各発光体の発光強度を調整するものであることを特徴とする付記４乃至８のいずれか１つに記載の表示装置。
［付記１０］
前記電力データを記憶する記憶手段を有し、前記制御手段は、前記入力情報に基づいて前記記憶手段から前記電力データを読み出して前記第１の信号を生成するものであることを特徴とする付記９に記載の表示装置。
［付記１１］
前記制御手段は、前記発光強度を調整することにより前記表示パネルの白色表示の色味を調整するものであることを特徴とする付記９又は１０に記載の表示装置。
［付記１２］
前記入力情報は、前記白色表示の色温度であることを特徴とする付記１１に記載の表示装置。
［付記１３］
前記入力情報は、前記各発光体の発光強度であることを特徴とする付記１１に記載の表示装置。
［付記１４］
前記入力情報は、前記表示装置が使用される地域を表す情報であることを特徴とする付記１１に記載の表示装置。
［付記１５］
前記制御手段は、前記発光強度を調整することにより前記表示パネルの明るさを調整するものであることを特徴とする付記９又は１０に記載の表示装置。
［付記１６］
前記駆動手段と前記表示パネルに設けられた駆動回路とが同一の集積回路により構成されていることを特徴とする付記１乃至１５のいずれか１つに記載の表示装置。
［付記１７］
前記表示パネルは液晶表示パネルであることを特徴とする付記１乃至１６のいずれか１つに記載の表示装置。
［付記１８］
付記１乃至１７のいずれか１つに記載の表示装置を有することを特徴とする携帯機器。
［付記１９］
付記１４に記載の表示装置と、ＧＰＳ装置と、を有し、前記ＧＰＳ装置により前記地域を表す情報を取得することを特徴とする携帯機器。
［付記２０］
付記１４に記載の表示装置を有し、国際ローミング情報から前記地域を表す情報を取得することを特徴とする携帯機器。
【００８６】
上記付記に係る表示装置は、その発光色が相互に異なる複数の発光体と、この発光体を駆動する駆動手段と、前記発光体から光が照射されることにより画像を表示する表示パネルと、前記駆動手段及び前記表示パネルを制御する制御手段と、を有し、前記制御手段が前記駆動手段に対して出力する信号の少なくとも一部をなす第１の信号と、前記制御手段が前記表示パネルに対して出力する信号の少なくとも一部をなす第２の信号とが、共通の信号線により伝送されることを特徴とする。
【００８７】
上記付記に係る表示装置においては、第１の信号と第２の信号とを共通の信号線を介して伝送することにより、信号線の数を低減することができる。
【００８８】
また、前記第１の信号と前記第２の信号とが、時間を分割して伝送されるものであってもよく、共に１フレーム内に配置されるものであってもよい。
【００８９】
更に、前記第１の信号は前記駆動手段が前記各発光体に供給する電力の大きさを表す電力データであり、前記第２の信号は前記表示パネルに表示させる画像を表す画像データであってもよい。
【００９０】
このとき、前記駆動手段が前記表示パネルの内部に配置されており、前記制御手段が前記駆動手段に対して出力する信号のうち前記第１の信号を除く信号の少なくとも一部をなす第３の信号と、前記制御手段が前記表示パネルに対して出力する信号のうち前記第２の信号を除く信号の少なくとも一部をなす第４の信号とが、他の共通の信号線により伝送されてもよい。これにより、信号線の数をより一層低減することができる。
【００９１】
更にまた、前記制御手段は、外部から入力される入力情報に基づいて前記第１の信号を生成することにより前記各発光体の発光強度を調整するものであることが好ましい。これにより、各発光体の発光強度をユーザが設定することができる。
【００９２】
また、前記電力データを記憶する記憶手段を有し、前記制御手段は、前記入力情報に基づいて前記記憶手段から前記電力データを読み出して前記第１の信号を生成するものであることが好ましい。これにより、各発光体の発光強度の調整を容易に行うことができる。
【００９３】
前記制御手段は、前記発光強度を調整することにより前記表示パネルの白色表示の色味を調整するものであってもよく、このとき、前記入力情報は、前記白色表示の色温度であってもよく、前記各発光体の発光強度であってもよい。又は、前記入力情報は、前記表示装置が使用される地域を表す情報であってもよい。これにより、地域によって異なる色味の好みに対応することができる。
【００９４】
又は、前記制御手段は、前記発光強度を調整することにより前記表示パネルの明るさを調整するものであってもよい。
【００９５】
付記１８に係る携帯機器は、付記１乃至１７のいずれか１つに記載の表示装置を有することを特徴とする。
【００９６】
付記１９に係る他の携帯機器は、付記１４に記載の表示装置と、ＧＰＳ装置と、を有し、前記ＧＰＳ装置により前記地域を表す情報を取得することを特徴とする。
【００９７】
付記２０に係る更に他の携帯機器は、付記１４に記載の表示装置を有し、国際ローミング情報から前記地域を表す情報を取得することを特徴とする。
【符号の説明】
【００９８】
１；入力手段
２；制御手段
３；記憶手段
４；バックライト駆動手段
５；バックライト
６；ＬＣＤパネル
７；ＬＣＤモジュール
８；信号線
１０；入力情報
１１；映像信号
１３、１５；フレキシブルケーブル
１４；コネクタ
２１；入力情報処理部
２２；バックライト制御部
２３；ＬＣＤパネル制御部
２４；コントローラ
２５；ＬＥＤ電流データ
２６；画像データ
２７；複合データ信号
２８；画像メモリ
２９；選択信号
３０；制御信号
３１；選択信号
４１；スイッチ部
４１Ｒ、４１Ｇ、４１Ｂ；スイッチ
４２Ｒ、４２Ｇ、４２Ｂ；ＤＡＣ
４３Ｒ、４３Ｇ、４３Ｇ；駆動回路
５１Ｒ、５１Ｇ、５１Ｂ；ＬＥＤ
６１；表示部
６２；走査線駆動回路
６３；ＬＣＤ駆動回路
７１；携帯電話
１１３、１１５；フレキシブルケーブル
１１４、１１６；コネクタ
２０１；赤色ＬＥＤ
２０２；緑色ＬＥＤ
２０３；青色ＬＥＤ
２０４、２０５、２０６；駆動回路
２０７、２０８、２０９；調整回路
２２１、２２２、２２３；ＤＡＣ
２２４、２２５、２２６；バッファ
２３０；マイコンチップ
２３０Ｍ；記憶回路
３０１；携帯電話
３０２；ＬＣＤ
３０３；ＬＣＤバックライト
３０４；制御部
３０５；ＣＰＵ
３０６；ＲＯＭ
３０７；ＲＡＭ
３０８；ＲＧＢドライバＩＣ
３０９；周辺ＩＣ
３１０；キーパッド
３１１；外部Ｉ／Ｏ
４０１；液晶表示装置
４０２；ＬＣＤパネル
４０３；バックライト
４０４；表示部
４０５；走査線駆動回路
４０６；ＬＣＤ駆動回路
４０７；白色ＬＥＤ
Ｄ１、Ｄ２、Ｄ３；整流ダイオード
ＰＤ１、ＰＤ２、ＰＤ３；光検出器
ＳＲ１、ＳＲ２、ＳＲ３；固定抵抗
Ｔ１、Ｔ２、Ｔ３；トランジスタ
ＶＲ１、ＶＲ２、ＶＲ３；可変抵抗
【図１】
0005246321.tif 000004
【図２】
0005246321.tif 000005
【図３】
0005246321.tif 000006
【図４】
0005246321.tif 000007
【図５】
0005246321.tif 000008
【図６】
0005246321.tif 000009
【図７】
0005246321.tif 000010
【図８】
0005246321.tif 000011
【図９】
0005246321.tif 000012
【図１０】
0005246321.tif 000013
【図１１】
0005246321.tif 000014
【図１２】
0005246321.tif 000015
【図１３】
0005246321.tif 000016
【図１４】
0005246321.tif 000017
【図１５】
0005246321.tif 000018
【図１６】
0005246321.tif 000019
【図１７】
0005246321.tif 000020